(57)【要約】【課題】考案は、従来の防草シートに機能を付加し、結果的にその機能付加により価格が安くなる防草シートを提供すること。【解決手段】  表面に広告用の表示模様Ｍ１を付与した遮光性及び透水性を有する防草シートＡである。その表示模様Ｍ１が広告媒体となり、施工場所において広告機能が発揮される。単独の防草シートＡの表示模様Ｍ１が複数の防草シートＡに渡って統一されて全体の表示模様の一部を担っていることにより、複数の防草シートを使って、単独の防草シート（ａ１、ａ２、ａ３）による表示模様よりも大きい表示模様を付与することが可能であり、遠くから見た場合の視認性が格段と高いものとなり広告機能がより効果的に発揮できる。【選択図】図７
0003141200.tif 000002
【実用新案登録請求の範囲】
【請求項１】
遮光性及び透水性を有する防草シートにおいて、表面に広告用の表示模様を付与したことを特徴とする防草シート。
【請求項２】
単独の防草シートの表示模様が複数の防草シートに渡って統一された全体の表示模様の一部を担っていることを特徴とする請求項１記載の防草シート。
【請求項３】
防草シートに表示模様の位置合わせのための目印が付与されていることを特徴とする請求項２記載の防草シート。
【請求項４】
表示模様が蛍光材を含む塗料によって形成されていることを特徴とする請求項１記載の防草シート。
【請求項５】
奥行きのある面に敷設された防草シートが正面から見た場合に表示模様が歪んで遠くほど小さく見えないように、それを見越して修正された表示模様が付与されていることを特徴とする請求項１記載の防草シート。
【請求項６】
ポリプロピレン不織布シートの上に多数孔を有するポリプロピレン不織布シートを貼り合わせたことを特徴とする請求項１記載の防草シート。
【請求項７】
ポリプロピレン不織布シートが黒色に着色され且つ多数孔を有するポリプロピレン不織布シートが緑色に着色されていることを特徴とする請求項６記載の防草シート。
【請求項８】
遮光性及び透水性を有する防草シートであって、黒色に着色されたポリプロピレン不織布シートの上に緑色に着色され多数孔を有するポリプロピレン不織布シートを貼り合わせてなり、その表面に広告用の表示模様が付与され、該表示模様が複数の防草シートに渡って統一された全体の表示模様の一部を担っていることを特徴とする防草シート。
【請求項９】
遮光性及び透水性を有する防草シートであって、黒色に着色されたポリプロピレン不織布シートの上に緑色に着色され多数孔を有するポリプロピレン不織布シートを貼り合わせてなり、その表面に広告用の表示模様が付与され、該表示模様が複数の防草シートに渡って統一された全体の表示模様の一部を担っており、更に防草シートに表示模様の位置合わせのための目印が付与されていることを特徴とする防草シート。
【考案の詳細な説明】
【技術分野】
【０００１】
土木用の防草シートに関し、さらに詳しくは、従来の防草シートよりも付加価値が高い防草シートに関する。
【背景技術】
【０００２】
従来、空き地、遊休土地、路肩、道路脇、堤防、河川敷等に雑草等が生えるのを防止するため、防草シートが使用されている。
この防草シートは、遮光性を有するもので植物の育成に必要な光を通さないため、除草の必要となる地面上に敷設し、そのまま放置するだけで植物の生育が抑えられ有用である。
【０００３】
また、草の刈り取りや除草剤の散布等の定期的な維持管理が全く不要であり、以後、コストが殆どかからない利点がある。
このような防草シートとしては、例えば、ゴム製シートの表面に錘を貼着したもの（特許文献１）、或いは、熱可塑性合成樹脂の延伸糸により形成した基本布の上に、不織布を接着したもの（特許文献２）、三次元交絡構造を有する長繊維不織布の片面に難燃性のある透水性樹脂層を積層したもの（特許文献３）等が提供されている。
【特許文献１】特開平９−１５４４２０号公報
【特許文献２】特開２００４−１１３１０１号公報
【特許文献３】特開平１０−１７８９３３号公報
【考案の開示】
【考案が解決しようとする課題】
【０００４】
このような除草シートを使った方法は、維持管理費が殆どかからないが、施工段階で、施工費として一挙にかなりの投資が必要となる。
特に、施工費のうち、防草シート自体の価格が占める割合が大きい。
そのため防草シートを、使う場合は、最初の段階でコスト高の印象がありその普及が遅れている。
このようなことから、防草シートに別の価値を付けるか、価格自体を安くすることが要求されている。
【０００５】
本考案は、以上のような問題点を解決すべく開発されたものである。
すなわち、本考案は、従来の防草シートに機能を付加し、結果的にその機能付加により価格が安くなる防草シートを提供することを目的とする。
【課題を解決するための手段】
【０００６】
本考案者は、以上のような背景をもとに鋭意研究を重ねた結果、防草シートの施工場所としては、自動車道に沿った部分、電車車両の路線に沿った部等、一般に乗客が見易い所が多く存在することを見出し、この防草シートの見える部分に、広告媒体機能を付与し、その広告料金を見込むことで結果的に防草シートの価格を安くすることができる点を見出し、この知見により、本考案を完成させた。
【０００７】
すなわち、本考案は、（１）、遮光性及び透水性を有する防草シートにおいて、表面に広告用の表示模様を付与した防草シートに存する。
【０００８】
また、本考案は、（２）、単独の防草シートの表示模様が複数の防草シートに渡って統一された全体の表示模様の一部を担っている上記（１）記載の防草シートに存する。
【０００９】
また、本考案は、（３）、防草シートに表示模様の位置合わせのための目印が付与されている上記（２）記載の防草シートに存する。
【００１０】
また、本考案は、（４）、表示模様が蛍光材を含む塗料によって形成されている上記（１）記載の防草シートに存する。
【００１１】
また、本考案は、（５）、奥行きのある面に敷設された防草シートが正面から見た場合に表示模様が歪んで遠くほど小さく見えないように、それを見越して修正された表示模様が付与されていることを特徴とする上記（１）記載の防草シートに存する。
【００１２】
また、本考案は、（６）、ポリプロピレン不織布シートの上に多数孔を有するポリプロピレン不織布シートを貼り合わせた遮光性及び透水性を有する上記（１）記載の防草シートに存する。
【００１３】
また、本考案は、（７）、ポリプロピレン不織布シートが黒色に着色され且つ多数孔を有するポリプロピレン不織布シートが緑色に着色されている上記（６）記載の防草シートに存する。
【００１４】
また、本考案は、（８）、遮光性及び透水性を有する防草シートであって、黒色に着色されたポリプロピレン不織布シートの上に緑色に着色され多数孔を有するポリプロピレン不織布シートを貼り合わせてなり、その表面に広告用の表示模様が付与され、該表示模様が複数の防草シートに渡って統一された全体の表示模様の一部を担っている防草シートに存する。
【００１５】
また、本考案は、（９）、遮光性及び透水性を有する防草シートであって、黒色に着色されたポリプロピレン不織布シートの上に緑色に着色され多数孔を有するポリプロピレン不織布シートを貼り合わせてなり、その表面に広告用の表示模様が付与され、該表示模様が複数の防草シートに渡って統一された全体の表示模様の一部を担っており、更に防草シートに表示模様の位置合わせのための目印が付与されているシートの防草シートに存する。
【００１６】
なお、本考案の目的に添ったものであれば上記の考案を適宜組み合わせた構成も採用可能である。
【考案の効果】
【００１７】
本考案の防草シートは、遮光性及び透水性を有し表面に広告用の表示模様を付与したものであることから、その表示模様が広告媒体となり、施工場所において広告機能が発揮される。
よって広告料金を見込めるのでその分、原価低減となり価格が安くなり、極端には広告料金が大きくなることによって、価格はゼロとなり得る。
【００１８】
また単独の防草シートの表示模様が複数の防草シートに渡って統一されて全体の表示模様の一部を担っていることにより、複数の防草シートを使って、単独の防草シートによる表示模様よりも大きい表示模様が付与することが可能であり、遠くから見た場合の視認性が格段と高いものとなる。
その結果、見る人の喚起を引き易いものとなり、広告機能がより効果的に発揮できる。
【００１９】
単独の防草シートに表示模様の位置合わせのための目印が付与されていると、複数の防草シートに渡って統一されて全体の表示模様を付与した場合、防草シートを配置する際に、その目印を基準に表示模様を相互に合わせるだけで十分であり、施工する場合、極めて効率的である。
模様合わせのため、単独防草シート同士の位置を調整する必要が無い。
【考案を実施するための最良の形態】
【００２０】
以下、本考案の一実施形態を、模式的な図面を用いて説明する。
【００２１】
（第１の実施形態）
図１は、防草シートＡを巻回した状態から一部を繰り出した状態を示す斜視図である。
図２は、繰り出した部分を示す図である。
防草シートＡは、巻回した状態で運ばれるので、使用する場合は、必要なだけ繰り出して使用する。
なお、巻回された防草シートＡを繰り出した大きさは長尺であり、例えば、３ｍ×５０ｍ、２ｍ×５０ｍ、１ｍ×５０ｍ、０．５ｍ×１０ｍ等である。
防草シートＡは、表面排水を避けるため排水性を有する。
【００２２】
また、植物の育成を避けるため遮光性を有するもので、遮光率は９９％以上が好ましい。
また、浮き上がり防止の観点から目付は５０ｇ/ｍ２以上が好ましい。  
また、施工後の耐久性の観点から、耐候試験６００時間で５０％以上の強度保持が可能なことが好ましい。
【００２３】
この防草シートＡの具体的な素材構造としては、例えば図３に断面で示すように、ポリプロピレン不織布シート１に細かい多数孔Ｓを有するポリプロピレン不織布シート２が貼り合わされている。
不織布は、スパンボンド法による不織布を採用することが好ましい。
ここで、ポリプロピレン不織布シート１はカーボン顔料を含むことで黒色を呈しており、多数孔Ｓを有するポリプロピレン不織布シート２は、緑に着色されている。
【００２４】
両不織布シートは、黒色のポリプロピレン不織布シート１と緑色の多数孔を有するポリプロピレン不織布シート２とを重ねて緑色のポリプロピレン不織布シート側から細かい凹凸を有する加熱金型（図示略）を押し付けることで貼り合わされる。
この場合、金型の凸部により溶着された部分が凹んで孔となり、ポリプロピレン不織布シート１の上に細かい多数孔Ｓ（孔幅１ｍｍ程度）を有するポリプロピレン不織布シート２が貼り付けられたように形成される。
【００２５】
ポリプロピレン不織布シート１は、カーボン顔料を含むことで黒色を呈しており遮光性が発揮されている。
また、不織布自体の属性である透水性も発揮される。
また、該不織布の上に貼着された多数孔を有するポリプロピレン不織布２は、十分な透水性を有し、緑に着色されている。
【００２６】
防草シートＡとしては、黒色のポリプロピレン不織布シート１が緑色の多数孔を有するポリプロピレン不織布シート２の多数孔Ｓを通して見えるので深緑色に見え、防草シートを施工していない領域との違和感を解消できる。
【００２７】
ところで、本考案の防草シートＡは、その表面に広告用の表示模様を付与したことに大きな特徴がある。
この広告としては、製品ＰＲ、企業ＰＲ等のあらゆる広告を含む。
そのため広告に対して広告主が払う金額が、防草シート或いは施工費に転換されコストが低下する。
図２から分かるように、この防草シートＡの表面（多数孔Ｓを有するポリプロピレン不織布シート側）には、広告用の表示模様Ｍが付与されている。
ここでは、表示模様Ｍは山と文字（ＡＢＣ）で表現されているが、この表示模様が、例えばＡ社の広告媒体としての機能を発揮するのである。
表示模様Ｍは、単独の防草シートＡで１つの統一した表示模様Ｍとすることで比較的小さい広告媒体に対応することができる。
【００２８】
この実施形態の防草シートＡの表面に付与される表示模様は、シート地の地色と区別できる色が付与されている。
表示模様の付与方法は特に限定されるものではなく、例えば、染色された布片を防草シートに貼り付けたり、直接、防草シートに塗料を塗布したりすることにより行う。
なお、この場合、表示模様付与後の透水性が低下しないようにする。
【００２９】
また、防草シートＡの夜間における視認性を高めたい場合は、表示模様には蛍光材が含まれているものを採用するとよい。
上述したように、ここで防草シートＡの表面に付与される表示模様Ｍとしては広告媒体となるような表現が付与される。
その表現としては、文章、文字、イラスト、幾何学的な模様等を単独又は組み合わせて行われる。
【００３０】
（第２の実施形態）
さて、上述した第１の実施の形態は、単独の防草シートＡに表示模様を付与した例であったが、複数の防草シートＡを使って、全体として統一した表示模様Ｍを付与することも可能である。
上述の第１の実施形態に比べて、より大きい広告媒体に対応することができる利点がある。
【００３１】
図４は、複数（ここでは３つ）の防草シートＡ（ａ１、ａ２、ａ３）を使って、全体として統一した表示模様を付与した例を示す。
図５は、その内の１つの防草シートＡ（ａ２）を示したものである。
この表示模様は、各単独の防草シートＡ（ａ１、ａ２、ａ３）に渡って連続して一つの図柄となっており、いわゆるモチーフを現出しているといえる。
各単独の防草シートＡ（ａ１、ａ２、ａ３）の表示模様が複数の防草シートに渡って統一された全体の表示模様の一部を担っているのである。
防草シートとしては、各単独防草シートａ１、ａ２、ａ３に付与された各模様が隣接する別の模様と関連しあい、全体で一つの統一した連続的な表示模様を形成しているのである。
【００３２】
このように、単独の防草シートＡ（ａ１、ａ２、ａ３）の単独の模様が複数集まることで、防草シートとして、より大きな表示模様が形成され視認性も高くなるのである。
例えば、汽車で走っているような場合は、スピードがあるため、大きな表示模様であるほど視認し易く、広告機能もより発揮できる。
なお、繰り返すが、防草シートＡを構成している各単独防草シートａ１、ａ２、ａ３の各模様は、統一された表示模様Ｍの一部を担っているに過ぎなく、必ずしもそれ１つでは機能しない。
【００３３】
（目印付与）
この実施形態の防草シートＡは、単独防草シートＡ（ａ１、ａ２、ａ３）に表示模様の位置合わせのための目印Ｐが付与されているものである。
図６は、防草シートＡの縁部に目印Ｐを設けた単独防草シートａ１、ａ２、ａ３よりなる防草シートＡを示し、図７は、それを単独防草シートａ１、ａ２、ａ３に切り離した図を示す。
【００３４】
各単独防草シートＡ（ａ１、ａ２、ａ３）の表面に全体の模様の一部模様が付与されており、複数の防草シートに渡って統一された全体の表示模様となっている。
防草シートとして、統一した表示模様にするためには、個々の単独防草シートＡ（ａ１、ａ２、ａ３）を統一した模様となるように、模様合わせが必要であり、そのために、単独防草シート同士の位置を調整する必要がある。
【００３５】
この実施の形態では、そのため単独防草シート同士の位置をわざわざ調整する必要がないように、模様合わせ用の目印Ｐを前もって各単独防草シートＡ（ａ１、ａ２、ａ３）に設けてあるのである。
従って、現場で単独防草シートＡ（ａ１、ａ２、ａ３）を複数並べて防草シートとするには、その目印Ｐを目途に並べていくだけでよく、施工が極めて効率的に行える。
なお、目印Ｐとしては、防草シートの表面の地色（例えば緑色）と区別できるようのものが良い。
例えば、着色した○印や、線等が採用される。
【００３６】
（第３の実施形態）
この実施形態の防草シートＡは、奥行きのある面に敷設された防草シートが、正面から見た場合に表示模様Ｍ１が遠くほど小さく見えないように、防草シートＡの表面にそれを見越した表示模様が付与されているものである。
例えば、図８（Ａ）のような表示模様Ｍ１は、奥行きのある面に敷設した場合、正面斜め上方から見ると、図８（Ｂ）のように遠い部分ほど小さく見える。
正面から見た場合、奥行きの深いところと、手前のところとでは、表示模様Ｍ１の大きさが異なって見え、歪みが生ずるのである。
【００３７】
そのため、それを見越して、図９（Ａ）に示すような前もって修正した表示模様Ｍ２を表面に付与しておく。
すなわち正面から遠くの部分が小さく見えないように、前もって大きく修正表示模様Ｍ２を付与しておくのである。
【００３８】
すると、図９（Ｂ）に示すように、遠くが小さくならない歪みのない表示模様Ｍ２が見える。
この原理は、例えば、施工面積の広い部分に採用した場合に効果が大となる。
例えば、施工面積の広い部分に複数の防草シートＡ（ａ１、ａ２、ａ３）を使って大きさを統一した表示模様を付与した場合は、奥行きが深くなるため歪みが大きくなるが、本実施の形態の原理を採用した場合は、歪みのない連続性のある統一された表示模様となるのである。
最後に、参考までに、本考案の防草シートＡの施工方法を述べる。
【００３９】
（施工方法）
１）まず、施工面（空き地、路肩、道路脇、堤防、河川敷等）の異物や突起物（雑物、石、草、木根等）を取り除き、いわゆる不陸がない状態（凹凸がない状態）に整地する。
２）整地した面に、必要な面積分の大きさの防草シートを敷く。
３）複数の防草シートを並べる場合は、両面テープ等を使って重ね部を合体する。
ここで、複数の防草シートＡにより統一した表示模様を付与する場合は、表示模様の位置合わせのための目印Ｐを目途に効率良く模様合わせを行う。
４）防草シートの適宜位置に止めピン等を打ち込んで地面に固定する。
５）防草シートが浮き上がらないよう施工面の必要な箇所に重しを置く。
この時、広告用の表示模様が隠れないように注意する。
【００４０】
以上、本考案を説明してきたが、本考案は実施の形態に限定されることなく種々の変形例が可能である。
上部の不織布は緑だけでなく、茶色、グレーその他の色とすることも可能である。
また防草シートの素材はポリプロピレン不織布シート以外にも、他の合成繊維製織物、及びそれらを適宜貼り合わせたものでも採用可能である。
また、、あればが、所でででようにの誤り》本考案の防草シートは、空き地、路肩、堤防、河川敷等に限らず、草等が生える場所で、人が見ることができる場所であれば何処でも適応可能である。
【図面の簡単な説明】
【００４１】
【図１】図１は、防草シートを巻回した状態から一部を繰り出した状態を示す斜視図である。
【図２】図２は、繰り出した部分を示す図である。
【図３】図３は、防草シートの断面を示す概略図である。
【図４】図４は、複数の防草シートを使って、全体として統一した表示模様を付与した例を示した図である。
【図５】図５は、図４の複数の防草シートのうち、１つの防草シートを示したものである。
【図６】図６は、防草シートの縁部に目印を設けた防草シートを示す図である。
【図７】図７は、図６の複数の防草シートを単独防草シートに切り離した図を示す。
【図８】図８は、防草シートを示す図であり、（Ａ）は上方から見た図であり（Ｂ）は正面斜め上方から見た図である。
【図９】図９は、修正表示模様が付与された防草シートを示す図であり、（Ａ）は上方から見た図であり（Ｂ）は正面斜め上方から見た図である。
【符号の説明】
【００４２】
１…ポリプロピレン不織布シート
２…多数孔Ｓを有するポリプロピレン不織布シート
Ａ…防草シート
ａ１、ａ２、ａ３…単独防草シート
Ｍ、Ｍ１…表示模様
Ｍ２…修正表示模様
Ｐ…目印  
Ｓ…多数孔  
【図１】
0003141200.tif 000003
【図２】
0003141200.tif 000004
【図３】
0003141200.tif 000005
【図４】
0003141200.tif 000006
【図５】
0003141200.tif 000007
【図６】
0003141200.tif 000008
【図７】
0003141200.tif 000009
【図８】
0003141200.tif 000010
【図９】
0003141200.tif 000011